(57)【要約】      （修正有）【課題】高い集魚効果を発揮しうる釣り用バズベイト型ルアーを提供する。【解決手段】バズベイト型ルアー１は、ライン４０が接続されるライン接続部３とライン接続部から上下二つに分岐した上アーム部５及び下アーム部４とを備えたワイヤー２を具備する。下アーム部に、フックを有するヘッド６が設けられている。上アーム部に回転軸２０がスイベル１１の接続アイ部１１ｂを介して上アーム部に対して角度自在に連結されている。回転軸に片翼状の回転翼体３０が回転軸の周方向に回転自在に枢支され、回転翼体は、前方に向かって径大の略半割円錐板状の片翼部３１を備える。回転翼体の重心は回転軸に対してずれた位置にある。【選択図】図３
0003226233.tif 000002
【実用新案登録請求の範囲】
【請求項１】
ラインが接続されるライン接続部と前記ライン接続部から上下二つに分岐した上アーム部及び下アーム部とを備えたワイヤーを具備しており、
前記下アーム部に、フックを有するヘッドが設けられており、
前記上アーム部に回転軸が前記上アーム部に対して角度自在に連結されるとともに、前記回転軸に片翼状の回転翼体が回転自在に枢支され、
前記回転翼体は、前方に向かって径大の略半割円錐板状の片翼部を備えるとともに、
前記回転翼体の重心が前記回転軸に対してずれた位置にある、釣り用バズベイト型ルアー。
【請求項２】
前記回転軸は、更に、前記上アーム部を中心にその周方向に回転自在に前記上アーム部に連結されている請求項１記載の釣り用バズベイト型ルアー。
【請求項３】
前記回転軸は前記上アーム部にジョイント部材を介して連結されており、
前記ジョイント部材は、両端部に略円環状の接続アイ部を有するスイベルを備えており、
前記スイベルの一方の前記接続アイ部に前記回転軸の前端部に形成された略環状の接続アイ部が前記スイベルに対して角度自在に連結されるとともに、前記スイベルの他方の前記接続アイ部内に前記上アーム部が、前記スイベルが前記上アーム部を中心にその周方向に回転自在になるように挿通されており、これにより、前記回転軸が前記上アーム部に対して角度自在に且つ前記上アーム部を中心にその周方向に回転自在になっている請求項２記載の釣り用バズベイト型ルアー。
【考案の詳細な説明】
【技術分野】
【０００１】
本考案は釣り用バズベイト型ルアーに関する。
【０００２】
なお、本明細書及び特許請求の範囲では、説明の便宜上、図１に示したバズベイト型ルアーのリーリング時の状態におけるルアーの前後上下方向を、本考案に係るバズベイト型ルアーの前後上下方向と定義する。
【背景技術】
【０００３】
ルアーフィッシングに用いられるルアーとして、図５に示すように、バズベイト型ルアー１０１が公知である（例えば特許文献１−４）。
【０００４】
このルアー１０１は、ライン（釣り糸）１４０が接続されるライン接続部１０３と、ライン接続部１０３から上下二つに分岐した上アーム部１０５及び下アーム部１０４とを備えたワイヤー１０２を具備している。
【０００５】
下アーム部１０４にはフック１０７及びスカート１０８を有するヘッド（シンカー）１０６がルアー本体１０９として設けられている。上アーム部１０５の先端部側は後方へ屈曲されることで屈曲アーム部１２０が形成されており、この屈曲アーム部１２０を回転軸として回転翼体１３０が屈曲アーム部１２０に回転自在に枢支されている。
【０００６】
回転翼体１３０は、二つの翼部１３１、１３１を有する両翼状のものであり、その形状は屈曲アーム部（回転軸）１２０に対して略対称形状である。そのため、回転翼体１３０の重心は略屈曲アーム部１２０上に位置している。
【０００７】
このバズベイト型ルアー１０１によれば、水中にキャストされたルアー１０１をリーリングすることにより、回転翼体１３０が水面Ｗ付近で水の抵抗を受けて屈曲アーム部１２０を中心に回転し、これにより音、振動波、泡などを発生することで、釣りたい魚を誘引する（集魚する）。
【先行技術文献】
【特許文献】
【０００８】
【特許文献１】特開２０１８−７４９０８号公報
【特許文献２】特開２０１２−１２５２２１号公報
【特許文献３】特開２００３−６１５１９号公報
【特許文献４】特開平１０−２６２５０３号公報
【考案の概要】
【考案が解決しようとする課題】
【０００９】
上述のバズベイト型ルアー１０１には魚をより多く釣るために高い集魚効果が要求される。
【００１０】
そこで本考案は、高い集魚効果を発揮しうる釣り用バズベイト型ルアーを提供することを目的とする。
【課題を解決するための手段】
【００１１】
１）  ラインが接続されるライン接続部と前記ライン接続部から上下二つに分岐した上アーム部及び下アーム部とを備えたワイヤーを具備しており、
前記下アーム部に、フックを有するヘッドが設けられており、
前記上アーム部に回転軸が前記上アーム部に対して角度自在に連結されるとともに、前記回転軸に片翼状の回転翼体が回転自在に枢支され、
前記回転翼体は、前方に向かって径大の略半割円錐板状の片翼部を備えるとともに、
前記回転翼体の重心が前記回転軸に対してずれた位置にある、釣り用バズベイト型ルアー。
【００１２】
２）  前記回転軸は、更に、前記上アーム部を中心にその周方向に回転自在に前記上アーム部に連結されている前項１記載の釣り用バズベイト型ルアー。
【００１３】
３）  前記回転軸は前記上アーム部にジョイント部材を介して連結されており、
前記ジョイント部材は、両端部に略円環状の接続アイ部を有するスイベルを備えており、
前記スイベルの一方の前記接続アイ部に前記回転軸の前端部に形成された略環状の接続アイ部が前記スイベルに対して角度自在に連結されるとともに、前記スイベルの他方の前記接続アイ部内に前記上アーム部が、前記スイベルが前記上アーム部を中心にその周方向に回転自在になるように挿通されており、これにより、前記回転軸が前記上アーム部に対して角度自在に且つ前記上アーム部を中心にその周方向に回転自在になっている前項２記載の釣り用バズベイト型ルアー。
【考案の効果】
【００１４】
本考案は以下の効果を奏する。
【００１５】
前項１では、ワイヤーの上アーム部に回転軸が上アーム部に対して角度自在に連結されるとともに、回転軸に回転翼体が回転自在に枢支されているので、ルアーをリーリングすることにより、回転翼体が水面付近にて水の抵抗を受けて回転軸を中心に回転するとともに当該回転翼体の回転に伴い回転軸が上アーム部に対して角度自在に動く。このとき、回転翼体が片翼状であって回転翼体の重心が回転軸に対してずれた位置にあるので、回転翼体の回転に伴う上アーム部に対する回転軸の動きが大きい。そのため、回転翼体が水面付近にて複雑で大きな回転動作をする。
【００１６】
さらに、回転翼体の片翼部が前方に向かって径大の略半割円錐板状であることから、ルアーのリーリング時に水面付近にて複雑で大きな回転動作をしている回転翼体の片翼部の前方開口から水と更に空気とが片翼部の内側に流入して片翼部の側方開口乃至後方開口から流出し、その際に「ポコポコ」という大きな音が発生するとともにこれに伴い大きな振動波、泡などが発生する。そのため、ルアーは高い集魚効果を発揮する。
【００１７】
前項２では、回転軸が更に上アーム部を中心にその周方向に回転自在に上アーム部に連結されていることにより、次の効果を奏する。
【００１８】
すなわち、ルアーをキャスティングすると、その直後にルアーはそのヘッドをルアーの飛行方向の前方に向けて空気中を飛行するとともに、回転翼体が空気の抵抗を受けることで回転軸が迅速に上アーム部を中心に１８０°回転（即ち反転）して飛行方向の後方に向く。そのため、ルアーの飛行姿勢が安定してルアーの飛距離が延びる。
【００１９】
さらに、こうしてキャスティングしたルアーをリーリングする際においては、リーリングの開始直後に回転翼体が水の抵抗を受けることで回転軸が迅速にキャスティング時の位置から上アーム部を中心に１８０°回転してリーリング時の位置に戻る。そのため、水中にキャスティングをしたルアーについてリーリングを開始した直後から回転翼体が上述した複雑で大きな回転動作を開始する。そのため、リーリングの開始直後からルアーは上述した高い集魚効果を発揮することができる。
【００２０】
前項３では、前項２の上述した効果を確実に奏し得るルアーを提供できる。
【図面の簡単な説明】
【００２１】
【図１】図１は本考案の一実施形態に係る釣り用バズベイト型ルアーをリーリング時の状態で示す側面図である。
【図２】図２は、図１の状態の同ルアーの平面図である。
【図３】図３は同ルアーの斜視図である。
【図４】図４は同ルアーをキャスティング時の飛行姿勢で示す側面図である。
【図５】図５は従来の釣り用バズベイト型ルアーをリーリング時の状態で示す側面図である。
【考案を実施するための形態】
【００２２】
本考案の一実施形態について図１〜４を参照して以下に説明する。
【００２３】
図１に示すように、本考案に係るバズベイト型ルアー１は、ライン（釣り糸）４０が接続される略Ｕ字状のライン接続部３を備えた金属（例：ステンレス鋼）製ワイヤー２を具備している。ワイヤー２は、更に、ライン接続部３からライン接続部３の後端側において上下二つに分岐した上アーム部５及び下アーム部４を備えている。上アーム部５及び下アーム部４の断面形状はそれぞれ円形状である。
【００２４】
下アーム部４の後端部には、フック（釣り針）７と柔軟な線状集魚部材として例えばスカート８とを有するヘッド（シンカー）６がルアー本体９として、下アーム部４に対して固定された状態に設けられている。
【００２５】
ヘッド６は、釣りたい魚の餌となる魚の頭部を概略的に模した形状のものであり、金属（例：鉛、亜鉛）、樹脂などからなる。
【００２６】
上アーム部５は、ライン接続部３の後端から上方に突出するように屈曲している。
【００２７】
図１〜３に示すように、上アーム部５の上端部５ａ側（先端部側）には、ジョイント部材としてのスイベル１１を介して回転軸２０が上アーム部５に対して角度自在に（即ち上アーム部５に対して回転軸２０がなす角度が自在になるように）連結されている。さらに、回転軸２０に回転翼体３０が回転軸２０に対して回転自在に枢支されている。回転軸２０は断面円形状の金属棒（例：ステンレス鋼棒）からなる。
【００２８】
さらに、回転軸２０は上アーム部５に上述したスイベル１１を介して上アーム部５を中心にその周方向に回転自在に連結されている。
【００２９】
回転軸２０とスイベル１１との連結構造、及び、スイベル１１と上アーム部５との連結構造については後述する。
【００３０】
回転翼体３０は、回転軸２０に対して対称形状のものではなく片翼状のものであり、片翼部３１を備えており、更に、軸受けブラケット板部３３を備えている。
【００３１】
図３に示すように、回転翼体３０は、一枚の金属板（例：アルミニウム板、ステンレス鋼板）が所定形状に屈曲されることにより片翼部３１と軸受けブラケット板部３３とが一体に形成されたものであり、即ち、回転翼体３０は金属板の屈曲成形品からなる。
【００３２】
片翼部３１は前方に向かって径大の略半割円錐板状のものであり、すなわち、前方に向かって径大の円錐板がその軸線に沿って略二分割（即ち略半割）されて得られる一方の分割片の形状のものである。したがって、片翼部３１の前方開口３１ａは大径であり、片翼部３１の後方開口３１ｂは小径であり、更に、片翼部３１は側方に開口した側方開口３１ｃを有している。
【００３３】
軸受けブラケット板部３３は略コ字板状のものであり、すなわち、互いに略対向状に配置された前後一対の軸受け板部３４、３５と両軸受け板部３４、３５の端部同士を連結した連結板部３６とを備えている。上述した片翼部３１は連結板部３６の一側縁から略半割円錐板状に屈曲されて形成されている。さらに、片翼部３１の遊端側の側縁部には片翼部３１に対して外側に屈曲した外折れ端片部３１ｄが形成されている。
【００３４】
軸受けブラケット板部３３の前後両軸受け板部３４、３５にはそれぞれ軸孔３４ａ、３５ａが穿設されている。そして、回転軸２０が両方の軸孔３４ａ、３５ａに回転自在に連通されており、これにより、回転軸２０に回転翼体３０が回転自在に枢支されている。
【００３５】
後軸受け板部３５の軸孔３５ａから後方に突出した回転軸２０の後端部２０ｂ側の部分は球状ビーズ２２内に挿通されており、回転翼体３０及びビーズ２２が回転軸２０から抜落するのを阻止するため、回転軸２０の後端部２０ｂが回転軸２０に対して側方に屈曲されている。
【００３６】
前軸受け板部３４の軸孔３４ａから前方に突出した回転軸２０の前端部側の部分は球状ビーズ２１内に挿通されるとともに、回転翼体３０及びビーズ２１が回転軸２０から抜落するのを阻止するため並びに回転軸２０をスイベル１１に連結するため、回転軸２０の前端部が円環状に屈曲形成されており、これにより、回転軸２０の前端部に円環状の接続アイ部２０ａが形成されている。
【００３７】
回転翼体３０は、上述したように回転軸２０に対して対称形状のものではなく片翼状のものである。そのため、回転翼体３０の重心Ｇは、回転軸２０上ではなく回転軸２０に対して片翼部３１側にずれた位置にあり、詳述すると片翼部３１の内側の位置にある。
【００３８】
スイベル１１はその両端部に円環状の接続アイ部１１ａ、１１ｂを有している。両接続アイ部１１ａ、１１ｂはスイベル１１の軸線を中心にその周方向に互いに独立して回転可能である。
【００３９】
スイベル１１の一方（後側）の接続アイ部１１ａに、回転軸２０の前端部に形成された上述の接続アイ部２０ａがスイベル１１に対して角度自在に連結されている。また、スイベル１１の他方（前側）の接続アイ部１１ｂ内に上アーム部５が、スイベル１１が上アーム部５を中心にその周方向に回転自在になるように挿通（詳述すると遊挿）されている。これにより、回転軸２０は上アーム部５に対して角度自在に且つ上アーム部５を中心にその周方向に回転自在になっている。
【００４０】
上アーム部５が挿通された他方（前側）の接続アイ部１１ｂの位置を保持するため、上アーム部５における当該接続アイ部１１ｂの位置よりもライン接続部３側の部分が金属製円筒スリーブ５ｂ及び球状ビーズ５ｃ内に順次挿通されるとともに、上アーム部５における当該接続アイ部１１ｂの位置よりも上端部５ａ（先端部）側の部分が球状ビーズ５ｄ内に挿通されている。さらに、接続アイ部１１ｂ及びビーズ５ｄが上アーム部５から抜落するのを阻止するため、上アーム部５の上端部５ａが上アーム部５に対して後方に屈曲されている。
【００４１】
本実施形態のルアー１によれば、ワイヤー２の上アーム部５に回転軸２０が上アーム部５に対して角度自在に連結されるとともに、回転軸２０に回転翼体３０が回転自在に枢支されているので、図１に示すように、ルアー１をリーリングすることにより、回転翼体３０が水面Ｗ付近にて水の抵抗を受けて回転軸２０を中心に回転するとともに当該回転翼体３０の回転に伴い回転軸２０が上アーム部５に対して角度自在に動く。このとき、回転翼体３０が片翼状であって回転翼体３０の重心Ｇが回転軸２０に対してずれた位置にあるので、回転翼体３０の回転に伴う回転軸２０の動きが大きい。そのため、回転翼体３０が水面Ｗ付近にて複雑で大きな回転動作をする。
【００４２】
さらに、回転翼体３０の片翼部３１が前方に向かって径大の略半割円錐板状であることから、ルアー１のリーリング時に水面Ｗ付近にて複雑で大きな回転動作をしている回転翼体３０の片翼部３１の前方開口３１ａから水と更に空気とが片翼部３１の内側に流入して片翼部３１の側方開口３１ｃ乃至後方開口３１ｂから流出し、その際に「ポコポコ」という大きな音が発生するとともにこれに伴い大きな振動波、泡などが発生する。そのため、ルアー１は高い集魚効果を発揮する。
【００４３】
さらに、回転軸２０が上アーム部５を中心にその周方向に回転自在に上アーム部５に連結されていることから、図４に示すように、ルアー１をキャスティングすると、その直後にルアー１はそのヘッド６をルアー１の飛行方向の前方Ｆに向けて空気中を飛行するとともに、回転翼体３０が空気の抵抗を受けることで回転軸２０が迅速に上アーム部５を中心に１８０°回転（即ち反転）して飛行方向の後方に向く。そのため、ルアー１の飛行姿勢が安定してルアー１の飛距離が延びる。
【００４４】
さらに、こうしてキャスティングしたルアー１をリーリングする際においては、リーリングの開始直後に回転翼体３０が水の抵抗を受けることで回転軸２０が迅速にキャスティング時の位置（即ち図４に示した位置）から上アーム部５を中心に１８０°回転してリーリング時の位置（即ち図１に示した位置）に戻る。そのため、水中にキャスティングをしたルアー１についてリーリングを開始した直後から回転翼体３０が上述した複雑で大きな回転動作を開始する。そのため、リーリングの開始直後からルアー１は上述した高い集魚効果を発揮することができる。
【００４５】
以上で本考案の一実施形態について説明したが、本考案は上記実施形態に限定されるものではなく、本考案の要旨を逸脱しない範囲で様々に変更可能である。
【産業上の利用可能性】
【００４６】
本考案は釣り用バズベイト型ルアーに利用可能である。
【符号の説明】
【００４７】
１：バズベイト型ルアー                ２：ワイヤー
３：ライン接続部                      ４：下アーム部
５：上アーム部                        ６：ヘッド
７：フック                            １１：スイベル（ジョイント部材）
１１ａ：スイベルの一方の接続アイ部    １１ｂ：スイベルの他方の接続アイ部
２０：回転軸                          ２０ａ：回転軸の接続アイ部
３０：回転翼体                        ３１：片翼部
４０：ライン
【図１】
0003226233.tif 000003
【図２】
0003226233.tif 000004
【図３】
0003226233.tif 000005
【図４】
0003226233.tif 000006
【図５】
0003226233.tif 000007
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
ラインが接続されるライン接続部と前記ライン接続部から上下二つに分岐した上アーム部及び下アーム部とを備えたワイヤーを具備しており、
前記下アーム部に、フックを有するヘッドが設けられており、
前記上アーム部に回転軸が前記上アーム部に対して角度自在に連結されるとともに、前記回転軸に片翼状の回転翼体が枢支され、
前記回転翼体は、前方に向かって径大の略半割円錐板状の片翼部を備えるとともに、
前記回転翼体の重心が前記回転軸に対してずれた位置にある、釣り用バズベイト型ルアー。
【請求項２】
前記回転軸は、更に、前記上アーム部を中心にその周方向に回転自在に前記上アーム部に連結されている請求項１記載の釣り用バズベイト型ルアー。
【請求項３】
前記回転軸は前記上アーム部にジョイント部材を介して連結されており、
前記ジョイント部材は、両端部に略円環状の接続アイ部を有するスイベルを備えており、
前記スイベルの一方の前記接続アイ部に前記回転軸の前端部に形成された略環状の接続アイ部が前記スイベルに対して角度自在に連結されるとともに、前記スイベルの他方の前記接続アイ部内に前記上アーム部が、前記スイベルが前記上アーム部を中心にその周方向に回転自在になるように挿通されており、これにより、前記回転軸が前記上アーム部に対して角度自在に且つ前記上アーム部を中心にその周方向に回転自在になっている請求項２記載の釣り用バズベイト型ルアー。